(57)【要約】【課題】プラズマディスプレイ装置において、異常放電を抑えることにより安定した放電が行えるようにすることを目的とする。【解決手段】走査電極を駆動する走査電極駆動回路と、維持電極を駆動する維持電極駆動回路と、データ電極を駆動するデータ電極駆動回路とを備え、複数のサブフィールドのうち少なくとも１つのサブフィールドは、複数の放電セルで初期化放電を発生させる初期化期間を含み、走査電極駆動回路は、初期化期間において初期化放電のために第１の電位から第２の電位に変化するランプ波形電圧を走査電極に印加し、データ電極駆動回路は、ランプ波形電圧の印加開始時点よりも前に、走査電極と各データ電極との間の電位差が小さくなるように第３の電位から第４の電位に変化する電圧を各データ電極に少なくとも１回印加するように構成した。【選択図】図４
2009192653.tif 000002
【特許請求の範囲】
【請求項１】
走査電極および維持電極と複数のデータ電極との交差部に複数の放電セルを有するプラズマディスプレイパネルを、１フィールド期間が複数のサブフィールドを含むサブフィールド法で駆動するプラズマディスプレイ装置であって、前記走査電極を駆動する走査電極駆動回路と、前記維持電極を駆動する維持電極駆動回路と、前記データ電極を駆動するデータ電極駆動回路とを備え、前記複数のサブフィールドのうち少なくとも１つのサブフィールドは、前記複数の放電セルで初期化放電を発生させる初期化期間を含み、前記走査電極駆動回路は、前記初期化期間において初期化放電のために第１の電位から第２の電位に変化するランプ波形電圧を前記走査電極に印加し、前記データ電極駆動回路は、前記ランプ波形電圧の印加開始時点よりも前に、前記走査電極と各データ電極との間の電位差が小さくなるように第３の電位から第４の電位に変化する電圧を各データ電極に少なくとも１回印加することを特徴とするプラズマディスプレイ装置。
【請求項２】
データ電極に繰り返し印加する第４の電位の印加時間は、印加回数が増加するに従い、長くなるように構成したことを特徴とする請求項１記載のプラズマディスプレイ装置。
【請求項３】
データ電極は、１本以上のデータ電極を有する複数の電極群に分割し、第４の電位の印加タイミングは、複数のデータ電極群で異なるように構成したことを特徴とする請求項１記載のプラズマディスプレイ装置。
【請求項４】
データ電極駆動回路は、ランプ波形電圧の印加中に各データ電極の電圧を第４の電位に維持することを特徴とする請求項１記載のプラズマディスプレイ装置。
【請求項５】
第４の電位は、維持電極と各データ電極との間で第１の放電が発生するように設定され、ランプ波形電圧は、第１の放電後で第１の電位から第２の電位への変化中に走査電極と維持電極との間で第２の放電が発生するように設定され、第２の放電時の放電電流は第１の放電時の放電電流よりも小さいことを特徴とする請求項１記載のプラズマディスプレイ装置。
【請求項６】
走査電極および維持電極と複数のデータ電極との交差部に複数の放電セルを有するプラズマディスプレイパネルを、１フィールド期間が複数のサブフィールドを含むサブフィールド法で駆動するプラズマディスプレイ装置の駆動方法であって、前記走査電極を駆動するステップと、前記維持電極を駆動するステップと、前記データ電極を駆動するステップとを備え、前記複数のサブフィールドのうち少なくとも１つのサブフィールドは、前記複数の放電セルで初期化放電を発生させる初期化期間を含み、前記走査電極を駆動するステップは、前記初期化期間において初期化放電のために第１の電位から第２の電位に変化するランプ波形電圧を前記走査電極に印加するステップを含み、前記データ電極を駆動するステップは、前記ランプ波形電圧の印加開始時点よりも前に、前記走査電極と各データ電極との間の電位差が小さくなるように第３の電位から第４の電位に変化する電圧を各データ電極に少なくとも１回以上繰り返し印加するステップを含むことを特徴とするプラズマディスプレイ装置の駆動方法。
【発明の詳細な説明】
【技術分野】
【０００１】
本発明は、複数の放電セルを選択的に放電させて画像を表示するプラズマディスプレイ装置に関する。
【背景技術】
【０００２】
プラズマディスプレイパネルの中でも現在主流となっている交流面放電型のもの（以下、「ＰＤＰ」という）は、２枚のパネルが間に間隙をあけて対向配置され、外周部で封止され、内方にキセノン（Ｘｅ）などを含む放電ガスが充填された構成を有する。２枚のパネルの内の一方（前面パネル）は、ガラス基板の一方の主面に複数の表示電極が形成され、これを覆うように誘電体層と保護層とが順に積層された構成となっている。
【０００３】
また、もう一方のパネル（背面パネル）は、ガラス基板の前面パネルに対向する側の主面に、複数のデータ電極が形成され、これを覆うように誘電体層が積層された構成となっている。また、背面パネルは、データ電極に並行し、且つ、隣り合うデータ電極とデータ電極との間に立設された隔壁を有する。この隔壁が前面パネルに対するギャップ材として機能する。隔壁間には、赤色、緑色、青色の各蛍光体層が色毎に塗り分けられて形成されている。なお、前面パネルと背面パネルとは、互いに形成された電極対とデータ電極とが交差する方向に配される。
【０００４】
ＰＤＰを表示パネルとするプラズマディスプレイ装置は、上記各電極に対してドライバが接続され、また、各ドライバには、サブフィールド法（フィールド内時分割階調表示方式）によって駆動信号を発する駆動制御部が接続された構成となっている。
【０００５】
プラズマディスプレイ装置の駆動においては、フィールドを重み付けされた複数のサブフィールドに分割し、その各サブフィールドの点灯／非点灯を制御することで階調表示する。各サブフィールドには、選択した放電セルにおいて、電極対の一方である走査電極とデータ電極との間で書き込み放電を生じさせる書き込み期間と、全放電セルにおいて、電極対を構成する走査電極と維持電極との間に交流電圧を印加し、書き込みの行われた放電セルで維持放電を生じさせる維持期間とが割り当てられている（例えば、特許文献１参照）。
【０００６】
また、１フィールド中には、全ての放電セルにおいて、一斉に初期化放電を生じさせてそれ以前のサブフィールドでの壁電荷の履歴消去および書き込み動作のための壁電荷形成を行う全セル初期化期間が設定されている。
【特許文献１】特開２０００−２４２２２４号公報
【発明の開示】
【発明が解決しようとする課題】
【０００７】
しかしながら、パネル面内における特性バラツキや長期の駆動などによって、走査電極、維持電極およびデータ電極などの相互間での放電開始電圧が他の領域に比べて低下する領域が面内で発生することがあり、放電ガス中におけるＸｅ分圧の上昇によりこの現象がより顕著になる傾向にある。
【０００８】
また、近年では、高Ｘｅ分圧化やフルハイビジョンへの対応などのために行われる高精細化に伴い、書き込み期間にデータ電極に従来よりも高い電圧が印加される傾向にある。これは、高Ｘｅ分圧化や高精細化に伴って、隣接する放電セル間での放電干渉の増加に対して、当該干渉に影響されることなく書き込み動作が確実に実行できるようにする必要があるためである。
【０００９】
本発明はこのような課題に鑑みなされたもので、パネル面内における特性バラツキや長期の駆動によって放電開始電圧の低下領域が発生した場合や、高Ｘｅ分圧化や高精細化に伴うデータ電極への印加電圧の上昇に際しても、異常放電を抑えることにより安定した放電が行えるようにすることを目的とする。
【課題を解決するための手段】
【００１０】
このような課題を解決するために本発明のプラズマディスプレイ装置は、走査電極および維持電極と複数のデータ電極との交差部に複数の放電セルを有するＰＤＰを、１フィールド期間が複数のサブフィールドを含むサブフィールド法で駆動するプラズマディスプレイ装置であって、前記走査電極を駆動する走査電極駆動回路と、前記維持電極を駆動する維持電極駆動回路と、前記データ電極を駆動するデータ電極駆動回路とを備え、前記複数のサブフィールドのうち少なくとも１つのサブフィールドは、前記複数の放電セルで初期化放電を発生させる初期化期間を含み、初期化期間を含み、前記走査電極駆動回路は、前記初期化期間において初期化放電のために第１の電位から第２の電位に変化するランプ波形電圧を前記走査電極に印加し、前記データ電極駆動回路は、前記ランプ波形電圧の印加開始時点よりも前に、前記走査電極と各データ電極との間の電位差が小さくなるように第３の電位から第４の電位に変化する電圧を各データ電極に少なくとも１回印加することを特徴とするものである。
【発明の効果】
【００１１】
本発明によれば、パネル面内における特性バラツキや長期の駆動によって放電開始電圧の低下領域が発生した場合や、高Ｘｅ分圧化や高精細化に伴うデータ電極への印加電圧の上昇に際しても、全セル初期化期間における異常放電を抑え、それに起因する初期化不足による不灯現象の発生を抑制することができる。
【発明を実施するための最良の形態】
【００１２】
以下、本発明の実施の形態に係るプラズマディスプレイ装置について、図面を用いて詳細に説明する。なお、以下で説明する実施の形態はあくまでも一例であって、本発明がこれに限定されるものではない。
【００１３】
図１は本発明の一実施の形態に係るプラズマディスプレイ装置におけるＰＤＰの一部を示す分解斜視図である。ＰＤＰ１０は、互いに対向配置されたガラス製の前面基板２１および背面基板３１を備える。前面基板２１および背面基板３１の間に放電空間が形成される。前面基板２１上には複数対の走査電極２２および維持電極２３が互いに平行に形成されている。各対の走査電極２２および維持電極２３が表示電極２４を構成する。走査電極２２および維持電極２３を覆うように誘電体層２５が形成され、誘電体層２５上には保護層２６が形成されている。
【００１４】
背面基板３１上には絶縁体層３３で覆われた複数のデータ電極３２が設けられ、絶縁体層３３上に井桁状の隔壁３４が設けられている。また、絶縁体層３３の表面および隔壁３４の側面に蛍光体層３５が設けられている。そして、複数対の走査電極２２および維持電極２３と複数のデータ電極３２とが垂直に交差するように前面基板２１と背面基板３１とが対向配置され、前面基板２１と背面基板３１との間に放電空間が形成されている。放電空間には、放電ガスとして、例えばネオンとキセノンとの混合ガスが封入されている。なお、ＰＤＰの構造は上述したものに限られず、例えばストライプ状の隔壁を備えた構造を用いてもよい。
【００１５】
図２は本発明の一実施の形態におけるＰＤＰの電極配列図である。行方向に沿ってｎ本の走査電極ＳＣ１〜ＳＣｎ（図１の走査電極２２）およびｎ本の維持電極ＳＵ１〜ＳＵｎ（図１の維持電極２３）が配列され、列方向に沿ってｍ本のデータ電極Ｄ１〜Ｄｍ（図１のデータ電極３２）が配列されている。ｎおよびｍはそれぞれ２以上の自然数である。そして、１対の走査電極ＳＣｉ（ｉ＝１〜ｎ）および維持電極ＳＵｉ（ｉ＝１〜ｎ）と１つのデータ電極Ｄｊ（ｊ＝１〜ｍ）とが交差した部分に放電セルＤＣが形成されている。それにより、放電空間内にｍ×ｎ個の放電セルが形成されている。
【００１６】
図３は本発明の一実施の形態に係るプラズマディスプレイ装置の回路ブロック図である。
【００１７】
このプラズマディスプレイ装置は、パネル１０、データ電極駆動回路１２、走査電極駆動回路１３、維持電極駆動回路１４、タイミング発生回路１５、Ａ／Ｄ（アナログ・デジタル）変換器１６、走査数変換部１７、サブフィールド変換部１８、ＡＰＬ（アベレージ・ピクチャ・レベル）検出部１９および電源回路（図示せず）を備えている。
【００１８】
図３において、画像信号ＶＤはＡ／Ｄ変換器１６に入力される。また、水平同期信号Ｈおよび垂直同期信号Ｖはタイミング発生回路１５、ＡＤ変換器１６、走査数変換部１７に入力される。Ａ／Ｄ変換器１６は、画像信号ＶＤをデジタル信号の画像データに変換し、その画像データを走査数変換部１７およびＡＰＬ検出部１９に出力する。ＡＰＬ検出部１９は画像データの平均輝度レベルを検出する。走査数変換部１７は、画像データをパネル１０の画素数に応じた画像データに変換し、サブフィールド変換部１８に出力する。サブフィールド変換部１８、各画素の画像データを複数のサブフィールドに対応する複数のビットに分割し、サブフィールド毎の画像データをデータ電極駆動回路１２に出力する。
【００１９】
データ電極駆動回路１２は、サブフィールド毎の画像データを各データ電極Ｄ１〜Ｄｍに対応する信号に変換し各データ電極を駆動する。タイミング発生回路１５は、水平同期信号Ｈおよび垂直同期信号Ｖをもとにしてタイミング信号を発生し、各々走査電極駆動回路１３および維持電極駆動回路１４に出力する。走査電極駆動回路１３は、タイミング信号に基づいて走査電極ＳＣＮ１〜ＳＣＮｎに駆動波形を供給し、維持電極駆動回路１４は、タイミング信号に基づいて維持電極ＳＵＳ１〜ＳＵＳｎに駆動波形を供給する。
【００２０】
次に、パネル１０を駆動するための駆動電圧波形とその動作の概要について説明する。
【００２１】
本実施の形態におけるプラズマディスプレイ装置は、サブフィールド法、すなわち１フィールド期間を複数のサブフィールドに分割し、サブフィールド毎に各放電セルの発光・非発光を制御することによって階調表示を行う。それぞれのサブフィールドは、初期化期間、書込み期間および維持期間を有する。
【００２２】
各サブフィールドにおいて、初期化期間では初期化放電を発生し、続く書込み放電に必要な壁電荷を各電極上に形成する。加えて、放電遅れを小さくし書込み放電を安定して発生させるためのプライミング粒子（放電のための起爆剤＝励起粒子）を発生させるという働きを持つ。このときの初期化動作には、全ての放電セルで初期化放電を発生させる全セル初期化動作と、直前のサブフィールドで維持放電を行った放電セルだけで選択的に初期化放電を発生させる選択初期化動作とがある。
【００２３】
書込み期間では、後に続く維持期間において発光させるべき放電セルで選択的に書込み放電を発生し壁電荷を形成する。そして維持期間では、輝度重みに比例した数の維持パルスを表示電極２４に交互に印加して、書込み放電を発生した放電セルで維持放電を発生させて発光させる。このときの比例定数を「輝度倍率」と呼ぶ。
【００２４】
本実施の形態では、１フィールドを１０のサブフィールド（第１ＳＦ、第２ＳＦ・・・第１０ＳＦ）で構成し、各サブフィールドはそれぞれ、例えば（１、２、３、６、１１、１８、３０、４４、６０、８０）の輝度重みを持つものとする。そして、第１ＳＦの初期化期間では全セル初期化動作を行い、第２ＳＦ〜第１０ＳＦの初期化期間では選択初期化動作を行うものとする。これにより、画像の表示に関係のない発光は第１ＳＦにおける全セル初期化動作の放電に伴う発光のみとなり、維持放電を発生させない黒表示領域の輝度である黒輝度は全セル初期化動作における微弱発光だけとなって、コントラストの高い画像表示が可能となる。また、各サブフィールドの維持期間においては、それぞれのサブフィールドの輝度重みに所定の輝度倍率を乗じた数の維持パルスを表示電極２４のそれぞれに印加する。
【００２５】
なお、本実施の形態は、サブフィールド数や各サブフィールドの輝度重みが上記の値に限定されるものではなく、また、画像信号等にもとづいてサブフィールド構成を切換える構成であってもよい。また、本実施の形態では、維持期間の最後に傾斜波形電圧を発生させており、これにより、続くサブフィールドの書込み期間における書込み動作を安定させている。
【００２６】
以下、まず駆動電圧波形の概要について説明し、続いて駆動回路の構成について説明する。
【００２７】
図４は、本発明の実施の形態におけるパネル１０の各電極に印加する駆動電圧波形図である。図４には、２つのサブフィールドの駆動電圧波形、すなわち全セル初期化動作を行うサブフィールド（以下、「全セル初期化サブフィールド」という）と、選択初期化動作を行うサブフィールド（以下、「選択初期化サブフィールド」という）とを示しているが、他のサブフィールドにおける駆動電圧波形もほぼ同様である。また、以下における走査電極ＳＣｉ、維持電極ＳＵｉ、データ電極Ｄｋは、各電極の中から画像データに基づき選択された電極を表す。
【００２８】
まず、全セル初期化サブフィールドである第１ＳＦについて説明する。第１ＳＦの初期化期間前半部では、データ電極Ｄ１〜Ｄｍに正の電圧Ｖｄ（Ｖ）を印加し、維持電極ＳＵ１〜ＳＵｎにそれぞれ０（Ｖ）を印加し、走査電極ＳＣ１〜ＳＣｎには、維持電極ＳＵ１〜ＳＵｎに対して放電開始電圧以下の第１の電位である電圧Ｖｉ１（Ｖ）から、放電開始電圧を超える第２の電位である電圧Ｖｉ２（Ｖ）に向かって緩やかに上昇する第１の傾斜波形電圧（以下、「上りランプ波形電圧」という）を印加する。ここで、走査電極ＳＣ１〜ＳＣｎに電圧Ｖｉ１（Ｖ）が印加される以前のタイミングで、すなわち上りランプ波形電圧の印加開始時点よりも前に、データ電極Ｄ１〜Ｄｍに、前記走査電極ＳＣ１〜ＳＣｎと各データ電極Ｄ１〜Ｄｍとの間の電位差が小さくなるように第３の電位である０（Ｖ）のベース電位から第４の電位である電圧Ｖｄ（Ｖ）に変化する４個のパルス電圧（以下、「異常放電規模抑制パルス」という）が印加されているが、これについては後で詳述する。なお、本実施の形態では、この上りランプ波形電圧を約１．３Ｖ／μｓｅｃの勾配としている。
【００２９】
この上りランプ波形電圧が上昇する間に、走査電極ＳＣ１〜ＳＣｎと維持電極ＳＵ１〜ＳＵｎ、データ電極Ｄ１〜Ｄｍとの間でそれぞれ微弱な初期化放電が持続して起こる。そして、走査電極ＳＣ１〜ＳＣｎ上部に負の壁電圧が蓄積されるとともに、データ電極Ｄ１〜Ｄｍ上部および維持電極ＳＵ１〜ＳＵｎ上部には正の壁電圧が蓄積される。この電極上部の壁電圧とは、電極を覆う誘電体層上、保護層上、蛍光体層上等に蓄積された壁電荷により生じる電圧を表す。
【００３０】
初期化期間後半部では、維持電極ＳＵ１〜ＳＵｎには正の電圧Ｖｅ１（Ｖ）を印加し、データ電極Ｄ１〜Ｄｍには０（Ｖ）を印加し、走査電極ＳＣ１〜ＳＣｎには、維持電極ＳＵ１〜ＳＵｎに対して放電開始電圧以下となる電圧Ｖｉ３（Ｖ）から放電開始電圧を超える電圧Ｖｉ４（Ｖ）に向かって緩やかに下降する傾斜波形電圧（以下、「下りランプ波形電圧」という）を印加する。この間に、走査電極ＳＣ１〜ＳＣｎと維持電極ＳＵ１〜ＳＵｎ、データ電極Ｄ１〜Ｄｍとの間でそれぞれ微弱な初期化放電が持続して起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整される。
【００３１】
以上により、全ての放電セルに対して初期化放電を行う全セル初期化動作が完了する。
【００３２】
なお、図４の第２ＳＦの初期化期間に示したように、初期化期間の前半部を省略した駆動電圧波形を各電極に印加してもよい。すなわち、維持電極ＳＵ１〜ＳＵｎに電圧Ｖｅ１（Ｖ）を、データ電極Ｄ１〜Ｄｍに０（Ｖ）をそれぞれ印加し、走査電極ＳＣ１〜ＳＣｎに電圧Ｖｉ３’（Ｖ）から電圧Ｖｉ４（Ｖ）に向かって緩やかに下降する下りランプ波形電圧を印加する。これにより前のサブフィールドの維持期間で維持放電を起こした放電セルでは微弱な初期化放電が発生し、走査電極ＳＣｉ上部および維持電極ＳＵｉ上部の壁電圧が弱められる。また直前の維持放電によってデータ電極Ｄｋ（ｋ＝１〜ｍ）上部に十分な正の壁電圧が蓄積されている放電セルでは、この壁電圧の過剰な部分が放電され書込み動作に適した壁電圧に調整される。一方、前のサブフィールドで維持放電を起こさなかった放電セルについてはこの期間では放電することはなく、前のサブフィールドの初期化期間終了時における壁電荷がそのまま保たれる。
【００３３】
このように前半部を省略した初期化動作は、直前のサブフィールドの維持期間で維持動作を行った放電セルに対してのみ初期化放電を行う選択初期化動作となる。
【００３４】
続く書込み期間では、まず維持電極ＳＵ１〜ＳＵｎに電圧Ｖｅ２（Ｖ）を、走査電極ＳＣ１〜ＳＣｎに電圧Ｖｃ（Ｖ）を印加する。そして、１行目の走査電極ＳＣ１に負の走査パルス電圧Ｖａ（Ｖ）を印加するとともに、データ電極Ｄ１〜Ｄｍのうち１行目に発光させるべき放電セルのデータ電極Ｄｋ（ｋ＝１〜ｍ）に正の書込みパルス電圧Ｖｄ（Ｖ）を印加する。このときデータ電極Ｄｋ上と走査電極ＳＣ１上との交差部の電圧差は、外部印加電圧の差（Ｖｄ−Ｖａ）（Ｖ）にデータ電極Ｄｋ上の壁電圧と走査電極ＳＣ１上の壁電圧との差が加算されたものとなり放電開始電圧を超える。これにより、データ電極Ｄｋと走査電極ＳＣ１との間に放電が発生する。
【００３５】
また、維持電極ＳＵ１〜ＳＵｎに電圧Ｖｅ２（Ｖ）を印加しているため、維持電極ＳＵ１上と走査電極ＳＣ１上との電圧差は、外部印加電圧の差である（Ｖｅ２−Ｖａ）（Ｖ）に維持電極ＳＵ１上の壁電圧と走査電極ＳＣ１上の壁電圧との差が加算されたものとなる。このとき、電圧Ｖｅ２（Ｖ）を、放電開始電圧をやや下回る程度の電圧値に設定することで、維持電極ＳＵ１と走査電極ＳＣ１との間を、放電には至らないが放電が発生しやすい状態とすることができる。これにより、データ電極Ｄｋと走査電極ＳＣ１との間に発生する放電をトリガーにして、データ電極Ｄｋと交差する領域にある維持電極ＳＵ１と走査電極ＳＣ１との間に放電を発生させることができる。こうして、発光させるべき放電セルに書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００３６】
このようにして、１行目に発光させるべき放電セルで書込み放電を起こして各電極上に壁電圧を蓄積する書込み動作が行われる。一方、書込みパルス電圧Ｖｄ（Ｖ）を印加しなかったデータ電極Ｄ１〜Ｄｍと走査電極ＳＣ１との交差部の電圧は放電開始電圧を超えないので、書込み放電は発生しない。以上の書込み動作をｎ行目の放電セルに至るまで行い、書込み動作が完了する。
【００３７】
続く維持期間では、まず走査電極ＳＣ１〜ＳＣｎに正の維持パルス電圧Ｖｓ（Ｖ）を印加するとともに維持電極ＳＵ１〜ＳＵｎにベース電位となる接地電位、すなわち０（Ｖ）を印加する。すると書込み放電を起こした放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電開始電圧を超える。そして、走査電極ＳＣｉと維持電極ＳＵｉとの間に維持放電が起こり、このとき発生した紫外線により蛍光体層３５が発光する。また、このとき走査電極ＳＣｉ上に負の壁電圧が蓄積され、維持電極ＳＵｉ上に正の壁電圧が蓄積される。さらに、データ電極Ｄｋ上にも正の壁電圧が蓄積される。書込み期間において書込み放電が起きなかった放電セルでは維持放電は発生せず、初期化期間の終了時における壁電圧が保たれる。
【００３８】
続いて、走査電極ＳＣ１〜ＳＣｎにはベース電位となる０（Ｖ）を、維持電極ＳＵ１〜ＳＵｎには維持パルス電圧Ｖｓ（Ｖ）をそれぞれ印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜ＳＣｎと維持電極ＳＵ１〜ＳＵｎとに交互に輝度重みに輝度倍率を乗じた数の維持パルスを印加し、表示電極２４の電極間に電位差を与えることにより、書込み期間において書込み放電を起こした放電セルで維持放電が継続して行われる。
【００３９】
そして、維持期間の最後には、走査電極ＳＣ１〜ＳＣｎに、ベース電位となる０（Ｖ）から電圧Ｖｅｒｓ（Ｖ）に向かって緩やかに上昇する第２の傾斜波形電圧（以下、「消去ランプ波形電圧」という）を印加する。これにより、微弱な放電を持続して発生させ、データ電極Ｄｋ上の正の壁電圧を残したまま、走査電極ＳＣｉおよび維持電極ＳＵｉ上の壁電圧の一部または全部を消去している。
【００４０】
具体的には、維持電極ＳＵ１〜ＳＵｎを０（Ｖ）に戻した後、ベース電位となる０（Ｖ）から放電開始電圧を超える電圧Ｖｅｒｓ（Ｖ）に向かって上昇する第２の傾斜波形電圧である消去ランプ波形電圧を、第１の傾斜波形電圧である上りランプ波形電圧よりも急峻な勾配、例えば約１０Ｖ／μｓｅｃの勾配で発生させ、走査電極ＳＣ１〜ＳＣｎに印加する。すると、維持放電を起こした放電セルの維持電極ＳＵｉと走査電極ＳＣｉとの間で微弱な放電が発生する。そして、この微弱な放電は、維持電極ＳＵ１〜ＳＵｎへの印加電圧が上昇する期間、持続して発生する。
【００４１】
そして、上昇する電圧があらかじめ定めた所定電位である電圧Ｖｅｒｓ（Ｖ）に到達した後、走査電極ＳＣ１〜ＳＣｎに印加する電圧をベース電位となる０（Ｖ）まで降下させる。このとき、この微弱な放電で発生した荷電粒子は、維持電極ＳＵｉと走査電極ＳＣｉとの間の電圧差を緩和するように、常に維持電極ＳＵｉ上および走査電極ＳＣｉ上に壁電荷となって蓄積されていく。これにより、データ電極Ｄｋ上の正の壁電荷を残したまま、走査電極ＳＣ１〜ＳＣｎ上と維持電極ＳＵ１〜ＳＵｎ上との間の壁電圧は、走査電極ＳＣｉに印加した電圧と放電開始電圧の差、すなわち（電圧Ｖｅｒｓ−放電開始電圧）（Ｖ）の程度まで弱められる。
【００４２】
以上の全セル初期化動作、選択初期化動作、書込み動作、維持動作、ランプ消去動作を繰り返し行うことにより、ＰＤＰへの映像表示が可能となる。
【００４３】
次に、本実施の形態の特徴部分について説明する。本実施の形態においては、図４に示すように、全セル初期化期間前半部において、ランプ波形電圧の印加開始時点よりも前に、前記走査電極と各データ電極との間の電位差が小さくなるように第３の電位から第４の電位に変化する４個の連続的な異常放電規模抑制パルスをデータ電極Ｄ１〜Ｄｍ印加している。
【００４４】
図４は、一例として、電位０（Ｖ）からＶｄ（Ｖ）へと変化する４個の異常放電規模抑制パルスを印加した場合について示している。なお、異常放電規模抑制パルスの個数は、上記の値に限定されるものではなく、さらに少ない回数やさらに多い回数であってもよい。また、パルス電圧の電位は、全セル初期化期間の前半部で印加する電位や、書込み期間に印加する電圧Ｖｄ（Ｖ）と同様の値としているが、必ずしも同一値とする必要はない。ただし、電源数およびこれに係る回路構成などの簡易性を確保するという観点から同じ電圧値とすることが望ましいため、本実施の形態では異常放電規模抑制パルスの電位についてもＶｄ（Ｖ）としている。
【００４５】
以下、この異常放電規模抑制パルスによる効果について、図５を用いて説明する。図５は、パルス幅Ｔｂの異常放電規模抑制パルスが１個印加されている場合の全セル初期化期間の駆動波形を示す図である。
【００４６】
ところで、パネル面内でのバラツキや長期の駆動などによって面内に放電開始電圧の低い領域が生じた場合や、高Ｘｅ分圧化や高解像度化によりデータ電極Ｄ１〜Ｄｍへの印加電圧を上昇させた場合に、データ電極Ｄ１〜Ｄｍに印加される電圧Ｖｄ（Ｖ）が、放電セル内全体に広がる異常放電を誘発し、初期化不足となってしまう。この異常放電は、データ電極Ｄ１〜Ｄｍに印加される電圧Ｖｄ（Ｖ）によって、データ電極Ｄ１〜Ｄｍと維持電極ＳＵ１〜ＳＵｎとの間で放電が発生し、それがトリガーとなり、走査電極ＳＣ１〜ＳＣｎ側にも広がる強放電に成長するといった発生過程になっている。
【００４７】
ここで、この一連の発生過程中においては、常にデータ電極には電圧Ｖｄ（Ｖ）が印加されているため、データ電極Ｄ１〜Ｄｍと走査電極ＳＣ１〜ＳＣｎおよび維持電極ＳＵ１〜ＳＵｎ間はもちろん、走査電極ＳＣ１〜ＳＣｎと維持電極ＳＵ１〜ＳＵｎ間の電界強度も強くなり、放電しやすい状態になっている。そのため、データ電極Ｄ１〜Ｄｍに印加される電圧Ｖｄ（Ｖ）による放電が、よりセル内全体に広がる放電へと成長しやすい状態となる。
【００４８】
本実施の形態では、図５のように、全セル初期化期間前半部において、異常放電規模抑制パルスを印加しており、図５に示すように、異常放電規模抑制パルス印加時には、データ電極Ｄ１〜Ｄｍと維持電極ＳＵ１〜ＳＵｎ間で放電が発生する。しかし、その放電発生直後には、データ電極Ｄ１〜Ｄｍの電位は０（Ｖ）とするため、各電極間の電界強度が弱まり、その後のセル内全体に広がる強放電への放電成長はなくなる。この異常放電規模抑制パルスによる放電により、強放電への放電成長を抑えることが可能となるだけでなく、この放電により、各電極上に蓄積されていた壁電荷が消去され、各電極間の電界強度が弱まる。そのため、後のデータ電極Ｄ１〜Ｄｍに電圧Ｖｄ（Ｖ）を印加した場合の２回目の放電規模についても大きく抑えることができる。
【００４９】
ここで、異常放電規模抑制パルスは、維持電極と各データ電極との間で第１の放電が発生するように設定されており、この第１の放電後に、全セル初期化期間前半部で第１の電位から第２の電位への変化中に走査電極と維持電極との間で第２の放電である初期化放電が発生し、しかも図５に示すように、第２の放電時に流れる放電電流が第１の放電時に流れる放電電流よりも小さい動作となる。
【００５０】
このような一連の動作により、全セル初期化期間前半部での異常放電規模を抑えることが可能となり、正常な初期化動作が行え、不灯現象のない良質な画質を確保することができる。
【００５１】
すなわち、本発明においては、初期化期間において初期化放電のために第１の電位である電圧Ｖｉ１から第２の電位である電圧Ｖｉ２に変化するランプ波形電圧を走査電極に印加し、前記ランプ波形電圧の印加開始時点よりも前に前記走査電極と維持電極との間の電位差が大きくなるように第３の電位であるベース電位から第４の電位である電圧Ｖｄ（Ｖ）に変化する電圧の異常放電規模抑制パルスを各データ電極Ｄ１〜Ｄｍに少なくとも１回印加するもので、全セル初期化期間前半部での異常放電規模を抑えることが可能となり、正常な初期化動作が行え、不灯現象のない良質な画質を確保することができる。
【００５２】
ところで、図５の初期化発光１に示すように、異常放電時の放電遅れに対して、異常放電規模抑制パルスのパルス幅が最適な場合は、上述のような一連の動作により、初期化不足を解消できるが、初期化発光２や初期化発光３の場合のように、異常放電時の放電遅れが小さすぎる場合や大きすぎる場合においては、異常放電規模抑制パルスによる効果を十分に発揮させることができなくなる。
【００５３】
ここで、初期化発光２は、異常放電時の放電遅れが小さすぎ、異常放電規模抑制パルスのパルス幅内で、セル内全体に広がる強放電への成長が完了してしまう場合を示している。また、初期化発光３は、異常放電時の放電遅れが大きすぎ、異常放電規模抑制パルスのパルス幅内で１回目の放電が発生せず、後のＶｄ（Ｖ）印加時にセル内全体に広がる強放電となる場合を示している。このような、異常放電の放電遅れは、パネル間バラツキや長期の駆動による各電極間の放電開始電圧の変動や、点灯ＳＦの違いによるプライミング量差によって変動している。すなわち、前者のような長期の変動要因と、後者のような短期（１フィールドごと）の変動要因が存在する。このような異常放電時の放電遅れが長期的および短期的に変動した場合においても、異常放電規模抑制パルスによる効果を十分に発揮させるための構成について、以下に説明する。
【００５４】
図６は本発明の他の実施の形態における駆動電圧波形を示す図で、パルス幅Ｔａ、Ｔｂ、Ｔｃの複数の異常放電規模抑制パルスを印加した場合の全セル初期化期間の駆動波形を示した図である。なお、図６では、説明の便宜上、その異常放電規模抑制パルスの数を３個として示しているが、これに限定されるものではなく、さらに少ない数やさらに多い数であってもよい。
【００５５】
図６において、初期化発光２の異常放電時の放電遅れが中程度の場合、上記実施の形態で説明した一連の動作により異常放電の規模を抑えることが可能となる。次に、これよりも放電遅れが小さくなった場合、パルス幅Ｔｂ内で強放電への成長が完了してしまうことになる。このような放電遅れが小さい場合に対応するために、新たにＴｂよりもパルス幅の小さいＴａの異常放電規模抑制パルスを前に追加する。このような異常放電規模抑制パルスを追加することにより、放電遅れの小さな場合においても、上記実施の形態で説明した一連の動作により、初期化発光１と同様に、異常放電の規模を抑えることが可能となる。
【００５６】
また、初期化発光２の場合よりも放電遅れが大きくなった場合、すなわち、パルス幅Ｔｂ内で１回目の放電が発生しない場合については、新たにＴｂよりもパルス幅の大きいＴｃの異常放電規模抑制パルスを追加することにより、同様の動作が実現できる。
【００５７】
このように長期的および短期的に変動する異常放電の放電遅れには、図６に示すように、先頭からパルス幅が徐々に広くなるパルス群、すなわち繰り返し印加する異常放電規模抑制パルスの第４の電位の印加時間が、印加回数が増加するに従い長くなるように、異なる印加時間の異常放電規模抑制パルスを設けることで、対応可能となる。なお、異常放電規模抑制パルスは４個で、１個目：４００ｎｓ、２個目：６００ｎｓ、３個目：８００ｎｓ、４個目：１０００ｎｓ程度にすることにより、前述の長期的、短期的に変動する異常放電時の放電遅れにも対応できることが実験的にわかっている。
【００５８】
次に、本発明のさらに他の実施の形態に係るプラズマディスプレイ装置について、図７、図８を用いて説明する。
【００５９】
図７は本発明の他の実施の形態に係るプラズマディスプレイ装置の回路ブロック図である。図３に示す回路ブロックとは、パネル１０のデータ電極Ｄ１〜Ｄｍをデータ電極群ＤａとＤｂに分割し、それぞれのデータ電極群が、データ電極駆動回路１２の、第１駆動回路１２ａと第２駆動回路１２ｂにそれぞれ接続されている点で異なる。なお、本実施の形態では、２つのデータ電極群としているが、この値に限定されるものではなく、さらに複数のデータ電極群としてもよい。
【００６０】
図８は、全セル初期化期間の前半部を拡大し、各データ電極群に印加するパルス電圧のタイミングを示した図である。このようにデータ電極群ＤａとＤｂで、パルス電圧の立ち上がりタイミングをずらすことにより、全データ電極にパルス電圧を印加する場合に比べて、放電電流のピーク値を抑えることができるだけでなく、それによりＥＭＩノイズの低減や、容量結合や電磁結合による他の回路動作へのノイズ妨害を大幅に低減することができる。
【００６１】
ところで、図８の（ａ）に示すように、一方のデータ電極群に電圧Ｖｄ（Ｖ）が印加されている状態で、他方のデータ電極群にも電圧Ｖｄ（Ｖ）が印加されるようなタイミング関係の場合、パネルや回路基板等による容量結合や電磁結合によって、お互いの電圧Ｖｄ（Ｖ）上にリンギング電圧が重畳されることとなる。このような場合、このリンギング電圧分だけ、データ電極駆動回路１２を構成するデータドライバの耐電圧マージンが不足することになる。また、異常放電がこのリンギング重畳時に発生した場合、通常（Ｖｄ（Ｖ）時）よりも異常放電規模が大きくなり、初期化不足を招く原因となる。
【００６２】
このようなリンギング重畳を回避するため、図８の（ｂ）のように、一方のデータ電極群に異常放電規模抑制パルスを印加する場合は、常に、他方のデータ電極群は、０（Ｖ）のベース電位の状態とする、すなわち異常放電規模抑制パルスの第４の電位の印加タイミングは、複数のデータ電極群で異なるように構成することにより、前述のようなリンギング重畳による不具合を原理上回避することが可能となる。
【００６３】
なお、一方のデータ電極群に印加する異常放電規模抑制パルスの電位変化から、他方のデータ電極に印加する異常放電規模抑制パルスの電位変化までの時間は、５００ｎｓ以上に設定することにより、安定した動作が可能となることが実験的にわかっている。
【産業上の利用可能性】
【００６４】
以上のように本発明によれば、ＰＤＰの駆動において、異常放電を抑えることにより安定した放電が行えるようにすることができるという有用な発明である。
【図面の簡単な説明】
【００６５】
【図１】本発明の一実施の形態に係るプラズマディスプレイ装置のパネル構成を示す斜視図
【図２】同プラズマディスプレイ装置のパネルの電極配列図
【図３】同プラズマディスプレイ装置の回路ブロック図
【図４】同プラズマディスプレイ装置の各電極に印加される駆動波形図
【図５】同プラズマディスプレイ装置の各電極に印加される駆動波形のうち、全セル初期化期間を拡大した波形図
【図６】本発明の他の実施の形態に係るプラズマディスプレイ装置において、各電極に印加される駆動波形のうち、全セル初期化期間を拡大した拡大図
【図７】本発明の他の実施の形態に係るプラズマディスプレイ装置の回路ブロック図
【図８】同プラズマディスプレイ装置の各電極に印加される駆動波形を説明するための説明図
【符号の説明】
【００６６】
１０  パネル
１２  データ電極駆動回路
１３  走査電極駆動回路
１４  維持電極駆動回路
２２  走査電極
２３  維持電極
２４  表示電極
３２  データ電極
【図１】
2009192653.tif 000003
【図２】
2009192653.tif 000004
【図３】
2009192653.tif 000005
【図４】
2009192653.tif 000006
【図５】
2009192653.tif 000007
【図６】
2009192653.tif 000008
【図７】
2009192653.tif 000009
【図８】
2009192653.tif 000010